(57)【要約】【課題】  簡単な構成でＩＣタグ内の情報へのアクセスをより確実に行うことができるＩＣタグ認識システムおよび認識方法と、昇降機利用者の個人情報へのアクセスをより確実にすることができる昇降機利用者の認識システムおよび認識方法を提供すること。【解決手段】  通路１を通過するＩＣタグ４に記録されている情報を読み取る複数の読み取り機３ａ、３ｂと、複数の読み取り機３ａ、３ｂにより読み取られる情報からＩＣタグ４の通過状態を把握する位置情報認識部５と、通過したＩＣタグ４に記録されている固有情報を認識する固有情報認識部６と、固有情報認識部６からの指示に基づいて昇降機の運行を制御する運行制御部８とを備えている。複数の読み取り機３ａ、３ｂは、異なる読み取り角度をもって設置されている。【選択図】      図３
2006277537.tif 000002
【特許請求の範囲】
【請求項１】
通路を通過するＩＣタグに記録されている情報を読み取る異なる読み取り角度をもって設置されている複数の読み取り機と、
前記複数の読み取り機により読み取られる情報から前記ＩＣタグの通過状態を把握する位置情報認識部と、
通過した前記ＩＣタグに記録されている固有情報を認識する固有情報認識部と、
を備えることを特徴とするＩＣタグ認識システム。
【請求項２】
通路を通過するＩＣタグに記録されている情報を異なる読み取り角度をもって設置されている複数の読み取り機により読み取るステップと、
前記複数の読み取り機により読み取られる情報から前記ＩＣタグの通過状態を位置情報認識部により把握するステップと、
通過した前記ＩＣタグに記録されている固有情報を固有情報認識部により認識するステップと、
を備えることを特徴とするＩＣタグ認識方法。
【請求項３】
昇降機の利用者が利用する通路を通過する昇降機利用者が携帯するＩＣタグに記録されている情報を読み取る異なる読み取り角度をもって設置されている複数の読み取り機と、
前記複数の読み取り機により読み取られた情報から前記昇降機利用者のＩＣタグの通過状態を把握する位置情報認識部と、
通過した前記昇降機利用者のＩＣタグに記録されている固有情報を認識する固有情報認識部と、
前記固有情報認識部からの指示に基づいて前記昇降機の運行を制御する運行制御部と、
を備えることを特徴とする昇降機利用者のＩＣタグ認識システム。
【請求項４】
昇降機の利用者が利用する通路を通過する昇降機利用者が携帯するＩＣタグに記録されている情報を異なる読み取り角度をもって設置されている複数の読み取り機により読み取るステップと、
前記複数の読み取り機により読み取られた情報から前記昇降機利用者のＩＣタグの通過状態を位置情報認識部により把握するステップと、
通過した前記昇降機利用者のＩＣタグに記録されている固有情報を固有情報認識部により認識するステップと、
前記固有情報認識部からの指示に基づいて運行制御部により前記昇降機の運行を制御するステップと、
を備えることを特徴とする昇降機利用者のＩＣタグ認識方法。
【発明の詳細な説明】
【技術分野】
【０００１】
本発明は、ＩＣタグ認識システム及びＩＣタグ認識方法並びに昇降機利用者の携帯するＩＣタグ認識システム及び昇降機利用者の携帯するＩＣタグ認識方法に関する。
【背景技術】
【０００２】
ＩＣタグ（またはＲＦＩＤ(Radio Frequency IDentification)）とは、半導体素子によって制作された数ミリサイズの小型チップである。ＩＣタグはＩＣタグリーダとの間で無線通信を行うことができ、ＩＣタグリーダを使ってＩＣタグへ情報を記録したり、あるいはＩＣタグに記録された情報を読み出すことができる。
【０００３】
ＩＣタグが物品に取り付けられた場合、その物品の製造過程や流通過程の情報をＩＣタグに順次記録したり読み出したりすることができる。したがって、ＩＣタグは物品の在庫管理などに広く利用されることが期待されている。また、ＩＣタグを特定の個人に発行することにより、入退室の管理や個人情報の管理に応用することも可能となる。
【０００４】
このような中、ＩＣタグを用いて個人情報を識別しながらビル利用者に対するサービスを充実させるための技術が特許文献１に開示されている。
【特許文献１】特開２００３−２４２２２９号公報
【発明の開示】
【発明が解決しようとする課題】
【０００５】
特許文献１に示されたシステムを実現するにあたっては、ＩＣタグと身につけたビル利用者の個人情報が、ＩＣタグリーダによって遠隔から検出されなければならない。すなわち、ビル利用者（歩行者）が通路を通過する場合、わざわざＩＣタグリーダの前で立ち止まってＩＣタグが確実に認識されるのを待ってから、再び歩き出すというのでは極めて非効率的である。よって歩行者の行動を制約することなく遠隔から確実にＩＣタグを読み取る必要がある。
【０００６】
ところが、ＩＣタグとＩＣタグリーダとの位置関係（角度）や距離によっては電波特性（磁界強度）が弱くなってしまう場合も想定され、場合によっては個人情報を読み取ることができない可能性もある。このように、ＩＣタグの利便性を追求すればするほど検出エラーの可能性が潜在的に高くなることが懸念される。
【０００７】
そして、個人を自動認証するセキュリティーシステムなどに応用した場合にこのような事態が生じると、個人情報が全く得られないだけでなく、セキュリティーシステムとしての機能が損なわれ安全確保が懸念されることになってしまう。
【０００８】
そこで本発明は、簡単な構成でＩＣタグ内の情報へのアクセスをより確実に行うことができるＩＣタグ認識システムおよび認識方法と、昇降機利用者の個人情報へのアクセスをより確実にすることができる昇降機利用者の認識システムおよび認識方法を提供することを目的とする。
【課題を解決するための手段】
【０００９】
本発明の実施の形態に係る第１の特徴は、ＩＣタグ認識システムにおいて、通路を通過するＩＣタグに記録されている情報を読み取る異なる読み取り角度をもって設置されている複数の読み取り機と、複数の読み取り機により読み取られる情報からＩＣタグの通過状態を把握する位置情報認識部と、通過したＩＣタグに記録されている固有情報を認識する固有情報認識部とを備える。
【００１０】
本発明の実施の形態に係る第２の特徴は、ＩＣタグ認識方法において、通路を通過するＩＣタグに記録されている情報を異なる読み取り角度をもって設置されている複数の読み取り機により読み取るステップと、複数の読み取り機により読み取られる情報からＩＣタグの通過状態を位置情報認識部により把握するステップと、通過したＩＣタグに記録されている固有情報を固有情報認識部により認識するステップとを備える。
【００１１】
本発明の実施の形態に係る第３の特徴は、昇降機利用者のＩＣタグ認識システムにおいて、昇降機の利用者が利用する通路を通過する昇降機利用者が携帯するＩＣタグに記録されている情報を読み取る異なる読み取り角度をもって設置されている複数の読み取り機と、複数の読み取り機により読み取られた情報から昇降機利用者のＩＣタグの通過状態を把握する位置情報認識部と、通過した昇降機利用者のＩＣタグに記録されている固有情報を認識する固有情報認識部と、固有情報認識部からの指示に基づいて昇降機の運行を制御する運行制御部とを備える。
【００１２】
本発明の実施の形態に係る第４の特徴は、昇降機利用者のＩＣタグ認識方法において、昇降機の利用者が利用する通路を通過する昇降機利用者が携帯するＩＣタグに記録されている情報を異なる読み取り角度をもって設置されている複数の読み取り機により読み取るステップと、複数の読み取り機により読み取られた情報から昇降機利用者のＩＣタグの通過状態を位置情報認識部により把握するステップと、通過した昇降機利用者のＩＣタグに記録されている固有情報を固有情報認識部により認識するステップと、固有情報認識部からの指示に基づいて運行制御部により昇降機の運行を制御するステップとを備える。
【発明の効果】
【００１３】
本発明によれば、簡単な構成でＩＣタグ内の情報へのアクセスをより確実に行うことができるＩＣタグ認識システムおよび認識方法と、昇降機利用者の個人情報へのアクセスをより確実にすることができる昇降機利用者の認識システムおよび認識方法を提供することができる。
【発明を実施するための最良の形態】
【００１４】
以下、本発明の実施の形態について図面を参照して詳細に説明する。
【００１５】
本実施の形態に係るＩＣタグ認識システム及びＩＣタグ認識方法については、例えば、ＩＣタグ認識システム及びＩＣタグ認識方法の利用方法の一形態であるビル内で昇降機を利用する利用者（以下、利用者という。）のＩＣタグ認識システム及び昇降機利用者のＩＣタグ認識方法として、以下、説明する。
【００１６】
また、本実施の形態では、利用者に発行されるＩＣタグには、予めビル内の執務室、テナント、施設、或いは昇降機等を利用するために必要な各利用者の個人情報が入力されており、各利用者が携帯していることを前提とする。
【００１７】
本発明の実施の形態に係るＩＣタグ認識システムは、例えばビル内の通路に設けられている。図１或いは図２に示すように、通路１の奥に昇降機の一例としてのエレベータ２が設置されている。通路１を上方から下方に臨む位置には、利用者の携帯するＩＣタグ内に記録されている全ての情報を読み取る読み取り機３ａ、３ｂが２台設置されている。エレベータ２を利用しようとするＩＣタグを携帯した利用者（図示せず）は、図１或いは図２に示すＺ方向に沿って進み、通路１の奥に設置されたエレベータ２に乗り込む。なお、本実施形態においては、読み取り機３は２台設置されているものとして説明を行うが、２台に限らず、３台以上複数台設置されていてもよい。
【００１８】
利用者はエレベータ２に乗り込むため通路１を進む間に、ＩＣタグ認識システム１０によって、ＩＣタグ内に記録されている情報が全て読み取られる。図３に示すように、ＩＣタグ認識システム１０は、複数の読み取り機３ａ、３ｂと、ＩＣタグ４ａ、４ｂ、４ｃ（以下、適宜これらの複数のＩＣタグをまとめてＩＣタグ４という。）の位置情報等を比較する位置情報認識部５と位置情報認識部５からの情報と自ら受信したＩＣタグ４の情報とに基づいて判断を行う固有情報認識部６とを有する情報認識部７と、固有情報認識部６からの情報により昇降機の運行を制御する運行制御部８とを備えている。
【００１９】
読み取り機３ａ、３ｂは、ＩＣタグ４の内部に記録されている情報を読み取るための機器である。ここで、ＩＣタグに記録されている情報を読み取り機が読み取る技術には複数の方式があるが、一例として、次の方式が挙げられる。すなわち、図４のフローチャートに示すように、ＩＣタグ４と読み取り機３ａ、３ｂとの間では、まず、読み取り機３ａ、３ｂに備えられているアンテナから電波が発信される（ＳＴ１）。この電波をＩＣタグ４のアンテナが受信することで、ＩＣタグ４が起動する（ＳＴ２）。ＩＣタグ４には様々な情報を記録しておくことができるＩＣチップが内蔵されており、ＩＣタグ４が起動することでこの記録されている情報がＩＣタグのアンテナから発信される（ＳＴ３）。発信された情報は読み取り機３ａ、３ｂのアンテナが受信して（ＳＴ４）、例えば、接続されている情報処理装置（本実施形態では固有情報認識部６）で処理される。
【００２０】
この読み取り機３ａ、３ｂは、上述のように通路１を上方から臨む位置に設置されており、通路１に対して互いに角度を変えて設置されている。すなわち、図１に示すように、読み取り機３ａは鉛直方向（−Ｙ方向）を基準に＋Ｘ方向に、読み取り機３ｂは、鉛直方向（−Ｙ方向）を基準に−Ｘ方向にそれぞれ傾けられている。また、通路１を俯瞰して見た図である図２に示すように、読み取り機３ａは−Ｚ方向を基準に＋Ｘ方向に、読み取り機３ｂは、−Ｚ方向を基準に−Ｘ方向にそれぞれ傾けられている。これは、ＩＣタグから発信される電波は一般的に指向性があり、読み取り機３ａ、３ｂの読み取り面の角度によってはＩＣタグ４の発信する電波を正確に読み取れない場合が考えられる。そのため、読み取り機を複数台角度を違えて設置することで、異なる読み取り領域を設定でき、電波を受信する可能性を高めようとしたものである。複数の読み取り機は、互いにその読み取り面が対向するように設置されているのではなく、ＩＣタグから発信される電波を複数の読み取り機のいずれもが同時期に受信できる位置、方向に設置されるのであればどのような角度をもって設置されてもかまわない。
【００２１】
ＩＣタグ４は、ここでは特に図示していないが、各種の情報が記録されたＩＣチップと、ＩＣチップの情報を送信するためのアンテナとを有している。このＩＣチップには様々な情報を記録させることができるが、本実施形態においては、利用者の個人情報が記録されている。この個人情報の例としては、例えば、各々のＩＣタグに割り当てられているシリアル番号と、このＩＣタグ４を携帯する利用者の「氏名」「所属」「許可行き先階」等の情報が記録されている。
【００２２】
位置情報認識部５は、読み取り機３ａ、３ｂが設置されている通路１をＩＣタグ４を携帯した利用者が通過した場合に、そのＩＣタグ４の存在を捉える役割を有する部分である。位置情報認識部５は、読み取り機３ａ、３ｂが読み取ったＩＣタグ４の情報を受信する受信部５ａと、読み取り機３ａ、３ｂのそれぞれから送られてきた情報の内容を比較する比較部５ｂと、比較した結果を固有情報認識部６に送信する送信部５ｃとを有している。なお、位置情報認識部５にいう「位置」とは、例えば、読み取り機３ａ、３ｂとＩＣタグ４との具体的な距離等を意味するものではなく、読み取り機３ａ、３ｂが捉えた複数のＩＣタグ４の個数や相対的な位置関係等を意味する。
【００２３】
固有情報認識部６は、位置情報認識部５から送信されてきたＩＣタグ４の情報と自らが読み取り機３ａ、３ｂから受信したＩＣタグ４の情報を照合、判断する部分である。さらにエレベータ２の運行を制御するのに必要な情報を選択する。ここにいう「固有情報」とは、各利用者の携帯しているＩＣタグ内に記録された個人情報を指す。固有情報認識部６は、読み取り機３ａ、３ｂ、或いは位置情報認識部５からの情報を受信する受信部６ａと、読み取り機３ａ、３ｂから受信した情報を一時記憶しておく記憶部６ｂと、位置情報認識部５から送信されてきたＩＣタグ４の情報と自らが読み取り機３ａ、３ｂから受信したＩＣタグ４の情報を照合、選択する判断部６ｃと、この判断部６ｃによって選択された情報を運行制御部８に送信する送信部６ｄとを有している。
【００２４】
情報認識部７は、上述の位置情報認識部５と固有情報認識部６とから構成されている。なお、本実施形態においては情報認識部７をこのように構成したが、位置情報認識部５と固有情報認識部６とをそれぞれ独立の機器で構成しても良い。
【００２５】
運行制御部８は、情報認識部７から送信されるＩＣタグ４の情報に基づいて、エレベータ２の運行を制御する部分である。この情報認識部７から送信されてくる情報は、ＩＣタグ４に記録されている様々な情報のうち、例えば「許可行き先階」等、エレベータ２の運行に必要な情報に限られる。
【００２６】
このような構成において、本実施形態におけるＩＣタグ４に記録されている情報の処理は、図５のフローチャートに示すように行われる。
【００２７】
ＩＣタグを携帯した利用者が、エレベータ２に乗ろうとして通路１を進むと、通路１の両側の壁面上部に設置されている読み取り機３ａ、３ｂがＩＣタグを認識してＩＣタグ内に記録されている情報の読み取りを開始する（ＳＴ１０）。読み取りは、例えば上述した図４のフローチャートの流れに沿って行われる。このとき読み取り機３ａ、３ｂが読み取るＩＣタグの個数は、単数であっても複数であっても良い。なお、三角測量の原理によって、読み取り機からＩＣタグまでの距離を検出できるようにしても良い。
【００２８】
次にいずれの読み取り機３ａ、３ｂもＩＣタグの情報を読み取ったかを判断する（ＳＴ１１）。すなわち、ＩＣタグ４内に記録されている情報が読み取り機３ａ、３ｂを介して位置情報認識部５内の受信部５ａに受信されたか否かが位置情報認識部５によって判断される。
【００２９】
判断の結果、読み取り機３ａ、３ｂが通過するＩＣタグ４を認識したにも拘わらず、いずれの読み取り機３ａ、３ｂもＩＣタグの情報を読み取ったと判断されなかった場合には（ＳＴ１１のＮ）、さらに一方の読み取り機のみが読み取ったかを判断する（ＳＴ１２）。この判断の結果、位置情報認識部５内の受信部５ａにその情報が入ってこないと判断した場合には（ＳＴ１２のＮ）、読み取り機３ａ、３ｂのいずれもがＩＣタグ４内の情報を読み取ることができなかったと判断することができる。従って、この場合には、通路１に設置されている警報装置９によってエラーの表示を行い、昇降機の利用者に注意を促す（ＳＴ１３）。
【００３０】
なお、このエラーの表示方法としては、図１の警報装置９のように音によるアラームや電光掲示板のような視覚に訴えるもの等が挙げられる。そして、再度昇降機の利用者に読み取り機３ａ、３ｂがＩＣタグ４内の情報を読み取ることができるように、読み取り機３ａ、３ｂの読み取り可能範囲を通過してもらうことで、ＩＣタグ４内の情報を読み取る。
【００３１】
読み取り機３ａ、３ｂのいずれもがＩＣタグ４に記録されている情報を読み取ったと判断された場合には（ＳＴ１１のＹ）、読み取られた情報は、固有情報認識部６の受信部６ａによって受信される（ＳＴ１４）。受信された情報は、記憶部６ｂに送られ、一時記憶される（ＳＴ１５）。
【００３２】
一方、読み取り機３ａ、３ｂによって読み取られたＩＣタグ４内の情報は、同時に位置情報認識部５の受信部５ａにおいても受信される（ＳＴ１６）。そして比較部５ｂにおいて各読み取り機３ａ、３ｂが読み取った情報を比較する（ＳＴ１７）。ここでは読み取り機３ａ、３ｂで読み取った各ＩＣタグ４の情報に違いがあるか否かを比較する（ＳＴ１８）。なお、これら各読み取り機３ａ、３ｂがそれぞれ読み取った各ＩＣタグ４内の情報を比較し、照合し、判断する場合は、ＩＣタグ４に記録されている情報のうち、各々のＩＣタグ４に割り当てられているシリアル番号を利用する。
【００３３】
比較をした結果、それぞれの読み取り機３ａ、３ｂが読み取った情報に違いがあった場合には（ＳＴ１８のＹ）、全ての読み取り機で読み取った情報の全てを固有情報認識部６に送信する（ＳＴ１９）。この場合は、複数のＩＣタグ４が読み取り機３ａ、３ｂによって読み取られたことを意味する。但し、いずれか、或いはいずれもその複数のＩＣタグ４内の情報全てを正確に読み取ることができていない。
【００３４】
例えば、読み取り機３ａ、３ｂの前をＩＣタグ４を携帯するＡ、Ｂ、Ｃの３人が通過したとする。この場合に、読み取り機３ａではＡ、Ｂの携帯するＩＣタグ４ａ、４ｂの情報を読み取り、もう一方の読み取り機３ｂはＡ、Ｂ、Ｃの携帯するＩＣタグ４ａ、４ｂ、４ｃの情報を読み取ったとすると、読み取り機３ａではＩＣタグ４ｃの情報が読み取れていないが、読み取り機３ｂでは通過した全てのＩＣタグの情報を読み取っていることになる。つまり、読み取り機３ａ、３ｂで読み取ったＩＣタグ４の情報に違いがある。ここで、例えば読み取り機３ａ、３ｂのいずれもが読み取った情報（ＩＣタグ４ａ、４ｂの情報）のみを固有情報認識部６に送信する処理を行うと、実際には読み取り機３ａ、３ｂで３つのＩＣタグ４ａ、４ｂ、４ｃの情報を読み取っているのに、この場合４ｃの情報がエレベータ２の運行を制御する運行制御部８に情報が送られないことになり、不都合である。
【００３５】
従って、このような場合には、全ての読み取り機で読み取った情報の全て（上述の例で言えば、ＩＣタグ４ａ、４ｂ、４ｃ）を固有情報認識部６に送信することとする。このように処理することで、読み取った情報のいずれも落とすことなく位置情報認識部５を介して運行制御部８に情報を送ることができる。
【００３６】
次に、それぞれの読み取り機３ａ、３ｂが読み取ったＩＣタグ４の情報に違いがなかった場合には（ＳＴ１８のＮ）、さらに同一のＩＣタグ４からの情報であるか否かを判断する（ＳＴ２０）。その結果、同一のＩＣタグからの情報ではない場合には（ＳＴ２０のＮ）、それぞれの読み取り機３ａ、３ｂが読み取った情報の全てを固有情報認識部６に送信する（ＳＴ２１）。これは、上述の場合と異なり、複数のＩＣタグ４が読み取り機３ａ、３ｂの前を通過しているが、いずれの読み取り機３ａ、３ｂとも同じ人数分だけＩＣタグ４の情報を読み取ることができなかったことを示している。
【００３７】
例えば、読み取り機３ａ、３ｂの前をＩＣタグ４を携帯するＡ、Ｂ、Ｃの３人が通過したとする。この場合に、読み取り機３ａではＡ、Ｂの携帯するＩＣタグ４ａ、４ｂの情報を読み取り、もう一方の読み取り機３ｂはＡ、Ｃの携帯するＩＣタグ４ａ、４ｃの情報を読み取ったとすると、読み取り機３ａではＩＣタグ４ｃの情報が、読み取り機３ｂではＩＣタグ４ｂの情報がそれぞれ読み取れなかったことになる。つまり、いずれの読み取り機３ａ、３ｂも同じ人数分のＩＣタグの情報を読み取ったが、その読み取ったＩＣタグの情報は完全には一致しない状態にある。ここで、例えば読み取り機３ａ、３ｂのいずれもが読み取った情報（ＩＣタグ４ａの情報）のみを固有情報認識部６に送信する処理を行うと、実際には読み取り機３ａ、３ｂで３つのＩＣタグ４ａ、４ｂ、４ｃの情報を読み取っているのに、結果としてこの場合、４ｂ、４ｃの情報がエレベータ２の運行を制御する運行制御部８に送られないことになり、不都合である。
【００３８】
従って、このような場合には、全ての読み取り機で読み取った情報の全て（上述の例で言えば、ＩＣタグ４ａ、４ｂ、４ｃ）を固有情報認識部６に送信することとする。このように処理することで、読み取った情報を有効に利用して位置情報認識部５を介して運行制御部８に情報を送ることができる。
【００３９】
一方、同一のＩＣタグ４からの情報であるか否かを判断し、いずれも同一のＩＣタグからの情報である場合には（ＳＴ２０のＹ）、それらの情報を固有情報認識部６に送信する（ＳＴ２２）。この場合は、複数のＩＣタグ４が読み取り機３ａ、３ｂの前を通過し、いずれの読み取り機も通過した人数分のＩＣタグ４の情報を正確に読み取ることができたことを示している。
【００４０】
上述のいずれかのステップ（ＳＴ１９、ＳＴ２１、ＳＴ２２）を経て、固有情報認識部６は位置情報認識部５からの読み取り機３ａ、３ｂが読み取ったＩＣタグ４の情報を受信する（ＳＴ２３）。
【００４１】
ところで、読み取り機３ａ、３ｂのいずれか一方のみがＩＣタグ４の情報を読み取ったと判断された場合には（ＳＴ１２のＹ）、読み取られた情報は、固有情報認識部６の受信部６ａによって受信される（ＳＴ２４）。受信された情報は、記憶部６ｂに送られ、一時記憶される（ＳＴ２５）。
【００４２】
一方、読み取り機３ａ、３ｂによって読み取られたＩＣタグ４内の情報は、同時に位置情報認識部５の受信部５ａにおいても受信される（ＳＴ２６）。但し、この場合は、読み取り機３ａ、３ｂのいずれか一方しかＩＣタグ４の情報を読み取ることができなかったので、位置情報認識部５は、上述したような情報の比較等を行うことなく固有情報認識部６にこの受信した情報をそのまま送信する処理を行う（ＳＴ２７）。
【００４３】
固有情報認識部６には上述のような各ステップを経て位置情報認識部５から情報が送信される。その後、固有情報認識部６の判断部６ｃにおいて、この位置情報認識部５から送信された情報と自らの記憶部６ｂに記憶していた読み取り機３ａ、３ｂからのＩＣタグ４の情報とを照合する（ＳＴ２８）。固有情報認識部６も位置情報認識部５と同一の情報をＩＣタグ４から受信しており、読み取り機３ａ、３ｂから送信されてきたＩＣタグ４の情報は、記憶部６ｂに記憶されている。従って、固有情報認識部６の記憶しているＩＣタグ４の情報と位置情報認識部５から送信されてきた情報の対応付けができる。そしてこの対応付けに基づいて、固有情報認識部６は、ＩＣタグ４内の情報とビル利用との関係について判断を行う。すなわち、例えば、ＩＣタグ４に記録された情報を基にその利用者が当該ビル内で入室が許容されている区域（例えば、執務階、玄関階、会議室のある階等）を判断する。また、その階に到達するまでのエレベータ２や各種設備、施設の利用を許可する等である。
【００４４】
そして、判断されたＩＣタグ４の情報の中からエレベータ２の運行を制御するのに必要な情報、例えば、行き先階等の情報のみを選択して（ＳＴ２９）、この選択した情報を固有情報認識部６の送信部６ｄからエレベータ２の運行制御部８へ送信する（ＳＴ３０）。
【００４５】
運行制御部８は、上記情報を受信し（ＳＴ３１）、受信した情報に基づいてエレベータ２の運行を制御する（ＳＴ３２）。この制御の方法としては、例えば、エレベータ２のかご外のフロアで上下のボタンを押すという乗り場呼びを自動的に登録すると共に、利用者が向かおうとしている行き先階も自動登録することが挙げられる。また、ＩＣタグ４内に記憶されている行き先階以外には停止しない、或いは、エレベータ２の使用許可が出た利用者に対して閉まっていたエレベータ２の扉を開く、という方法も挙げることができる。
【００４６】
なお、本実施形態においては、昇降機利用者の携帯するＩＣタグ４内の情報を読み取ってその情報を昇降機の制御に利用した例を説明したが、ＩＣタグに記録されている情報を読み取り機で読み取り、情報認識部において読み取った情報を比較、判断する装置、或いはその手法は、他の実施形態に応用することができる。これにより、簡単な構成でＩＣタグに記録されている情報の読み取りをより確実に行うことができる。
【図面の簡単な説明】
【００４７】
【図１】本発明の実施の形態に係るＩＣタグ認識システムの利用の設置例を示す図である。
【図２】本発明の実施の形態に係るＩＣタグ認識システムの利用の設置例を俯瞰して示す図である。
【図３】本発明の実施の形態に係るＩＣタグ認識システムの構成図である。
【図４】ＩＣタグに記録されている情報を読み取り機で読み取る流れを示すフローチャートである。
【図５】ＩＣタグに記録されている情報を読み取り機で読み取って運行制御部に送信されるまでの流れを示すフローチャートである。
【符号の説明】
【００４８】
１  通路
２  エレベータ
３  読み取り機
４  ＩＣタグ
５  位置情報認識部
６  固有情報認識部
７  情報認識部
８  運行制御部
９  警報装置
【図１】
2006277537.tif 000003
【図２】
2006277537.tif 000004
【図３】
2006277537.tif 000005
【図４】
2006277537.tif 000006
【図５】
2006277537.tif 000007